(57)【要約】【課題】任意の清掃用シートを容易に着脱でき、より衛生的に保管することができる清掃用具を実現する。【解決手段】清掃用具１００は、棒状の把手部１０に固定されている可撓性を有する板部２０と、板部２０の一端側で折り返されてその板部２０の外面に沿って配置された清掃用シート１の両端部を、板部２０との間に挟み込んで保持する挟持部３０とを備えており、板部２０には複数の貫通孔２１が設けられている。このような清掃用具１００であれば、板部２０に縦巻きに配置した清掃用シート１を、例えばクリップ状の挟持部３０が板部２０との間に挟み込んで保持することができるので、任意の清掃用シート１を容易に着脱できる。また、複数の貫通孔２１が設けられている板部２０は、板部２０の厚さ方向に空気が抜ける通気性が確保されているため、板部２０が湿っても比較的速やかに乾燥するので、板部２０が乾燥した状態で衛生的に保管することができる。【選択図】図１
2020103663.tif 000002
【特許請求の範囲】
【請求項１】
棒状の把手部と、
前記把手部の先端に固定されている可撓性を有する板部と、
前記把手部又は前記板部に配設されており、前記板部の一端側で折り返されてその板部の外面に沿って配置された清掃用シートの両端部を、前記板部との間に挟み込んで保持する挟持部と、
を備え、
前記板部には、複数の貫通孔が設けられていることを特徴とする清掃用具。
【請求項２】
前記板部は、平面状の板材からなることを特徴とする請求項１に記載の清掃用具。
【請求項３】
前記板部は、一方の面側が凸状に湾曲してなる板材からなることを特徴とする請求項１に記載の清掃用具。
【請求項４】
前記板材の一部が折り起された態様の立片が設けられていることを特徴とする請求項２又は３に記載の清掃用具。
【請求項５】
前記挟持部が操作されることで、前記板部との間に挟み込まれている前記清掃用シートが開放されるように構成されていることを特徴とする請求項１〜４のいずれか一項に記載の清掃用具。
【発明の詳細な説明】
【技術分野】
【０００１】
本発明は、清掃用具に関する。
【背景技術】
【０００２】
従来、持ち手としての柄の先端に設けられている保持部に、使い捨ての清掃用シートを取り付けて使用する清掃用具が知られている（例えば、特許文献１参照。）。
この清掃用具を使用した後、使用済の汚れた清掃用シートを取り外して捨てることができるので、清掃用具を衛生的に保管することが可能になっている。
【先行技術文献】
【特許文献】
【０００３】
【特許文献１】特許第４４３８７８３号公報
【発明の概要】
【発明が解決しようとする課題】
【０００４】
しかしながら、上記特許文献１の清掃用具の場合、その清掃用具専用の清掃用シートでなければ保持部に取り付けることができないという問題があった。
【０００５】
本発明の目的は、任意の清掃用シートを容易に着脱でき、より衛生的に保管することができる清掃用具を提供することである。
【課題を解決するための手段】
【０００６】
以上の課題を解決するため、請求項１に記載の発明は、
棒状の把手部と、
前記把手部の先端に固定されている可撓性を有する板部と、
前記把手部又は前記板部に配設されており、前記板部の一端側で折り返されてその板部の外面に沿って配置された清掃用シートの両端部を、前記板部との間に挟み込んで保持する挟持部と、
を備え、
前記板部には、複数の貫通孔が設けられていることを特徴とする。
このような清掃用具であれば、板部の一端側で折り返されてその板部の外面に沿って配置された清掃用シートを、例えばクリップ状の挟持部が板部との間に挟み込んで保持することができるので、任意の清掃用シートを容易に着脱できる。
また、複数の貫通孔が設けられている板部は、板部の厚さ方向に空気が抜ける通気性が確保されているため、板部が湿っても比較的速やかに乾燥するので、板部が乾燥した状態で衛生的に保管することができる。
【０００７】
請求項２に記載の発明は、請求項１に記載の清掃用具において、
前記板部は、平面状の板材からなることを特徴とする。
【０００８】
請求項３に記載の発明は、請求項１に記載の清掃用具において、
前記板部は、一方の面側が凸状に湾曲してなる板材からなることを特徴とする。
【０００９】
請求項４に記載の発明は、請求項２又は３に記載の清掃用具において、
前記板材の一部が折り起された態様の立片が設けられていることを特徴とする。
【００１０】
請求項５に記載の発明は、請求項１〜４のいずれか一項に記載の清掃用具において、
前記挟持部が操作されることで、前記板部との間に挟み込まれている前記清掃用シートが開放されるように構成されていることを特徴とする。
【発明の効果】
【００１１】
本発明によれば、任意の清掃用シートを容易に着脱でき、より衛生的に保管することができる清掃用具が得られる。
【図面の簡単な説明】
【００１２】
【図１】本実施形態の清掃用具を示す斜視図である。
【図２】本実施形態の清掃用具に清掃用シートを取り付けた状態を示す斜視図である。
【図３】清掃用具の変形例を示す斜視図である。
【図４】清掃用具の変形例を示す斜視図である。
【図５】清掃用具の変形例を示す斜視図である。
【図６】清掃用具の変形例を示す斜視図である。
【図７】清掃用具の変形例を示す斜視図である。
【図８】清掃用具の変形例を示す斜視図である。
【発明を実施するための形態】
【００１３】
以下、図面を参照して、本発明に係る清掃用具の実施形態について詳細に説明する。但し、以下に述べる実施形態には、本発明を実施するために技術的に好ましい種々の限定が付されているが、本発明の範囲を以下の実施形態及び図示例に限定するものではない。
【００１４】
［実施形態の構成］
本実施形態の清掃用具１００は、例えば、図１、図２に示すように、把手部１０と、把手部１０の先端に固定されている板部２０と、板部２０の一端側で折り返されてその板部２０の外面に沿って配置された清掃用シート１の両端部を、板部２０との間に挟み込んで保持する挟持部３０と、を備えている。
この清掃用具１００は、可撓性を有する板部２０に清掃用シート１を取り付けて、トイレの床面などの拭き掃除に用いる器具である。
【００１５】
｛清掃用シート｝
清掃用シート１は、例えば、除菌剤などを含む水性薬剤を含浸させたウェットタイプのトイレ用クリーナーシートであり、水解性を有している。
この清掃用シート１は、水解性を有しているので、トイレ掃除に用いて汚れた清掃用シート１は、そのまま便器の水溜りに廃棄することができる。
【００１６】
｛把手部｝
把手部１０は、清掃用具１００を使用するユーザーが握る柄となる棒状の部材であり、その先端が板部２０の端部の幅方向略中央に固定されている。
この把手部１０は、直径が５ｍｍ〜２０ｍｍの太さで、１５ｃｍ〜７５ｃｍの長さであることが好ましい。この長さは使用者がしゃがんだ姿勢で清掃用具１００を使用する場合を想定している。使用者が立った姿勢で清掃用具１００を使用する場合には、把手部１０の長さは４０ｃｍ〜７５ｃｍであることが好ましい。
なお、把手部１０の先端側と後端側の太さが異なっていてもよく、ユーザーが握る後端側の部分が先端側よりも太く形成されていてもよい。
この把手部１０を形成する材料としては、把手部１０を握って板部２０に取り付けられている清掃用シート１で床面などを拭く清掃を行うことができる強度を有するものであれば任意であるが、例えば、ＡＢＳ樹脂（アクリロニトリル・ブタジエン・スチレン共重合樹脂）、ＰＰ（ポリプロピレン）、ＰＯＭ（ポリアセタール）、酸化防止加工した金属（アルミニウムなど）等を用いることができる。
【００１７】
｛板部｝
板部２０は、平面状の板材からなる部材であり、この板部２０に清掃用シート１を縦巻きに取り付けて使用する。
この板部２０は、縦１４ｃｍ×横１０ｃｍ程度の大きさで、１ｍｍ〜３ｍｍの厚みであることが好ましい。ここでは、長尺な把手部１０の延在方向を縦方向としている。
市販されている一般的なトイレ用クリーナーシート（清掃用シート１）を直角四つ折りにしたサイズが１５ｃｍ×１２ｃｍであるので、縦１４ｃｍ×横１０ｃｍの大きさの板部２０であれば、その板部２０に四つ折りにした清掃用シート１を好適に縦巻きに取り付けることができる。
また、板部２０の厚みが１ｍｍ〜３ｍｍであれば、板部２０に取り付けられている清掃用シート１で床面などを拭く清掃を行う際に、その板部２０が適度に撓むので、清掃用シート１を床面などに密接させた拭き掃除を行い易くなる。
この板部２０を形成する材料としては、板部２０に清掃用シート１を取り付けて拭き掃除を行うことができる強度を有するものであれば任意であるが、例えば、ＡＢＳ樹脂（アクリロニトリル・ブタジエン・スチレン共重合樹脂）、ＰＰ（ポリプロピレン）、ＰＯＭ（ポリアセタール）等を用いることができる。
【００１８】
｛貫通孔｝
特に、板部２０には、複数の貫通孔２１が設けられている。つまり、この板部２０は、円形の小孔（貫通孔２１）が縦横に列を成して設けられているパンチングプレート状の平板部材である。
板部２０に設けられている貫通孔２１の口径は任意であるが、２ｍｍ〜１０ｍｍ程度が好ましい。なお、貫通孔２１の形状は円形に限らず、任意の形状であってよい。また、複数の貫通孔２１は規則的に配列されていても、ランダムに配されていてもよい。
【００１９】
この板部２０に多数の貫通孔２１が設けられていることで、板部２０の厚さ方向に空気が抜ける通気性が確保されるようになっている。
つまり、板部２０の厚さ方向に空気が抜ける通気性が確保されているため、板部２０が湿ったり濡れたり場合でも、比較的速やかに乾燥させることができる。
具体的には、板部２０にウェットタイプの清掃用シート１を取り付けて使用した後、使用済の清掃用シート１を取り外して捨てれば、その板部２０は短時間で乾燥した状態になる。また、板部２０を水洗した場合も水切りすれば、板部２０は比較的短時間で乾燥した状態になる。
このように、湿ったり濡れたりした後に比較的短時間で乾燥した状態になる板部２０を有していれば、その清掃用具１００を衛生的に保管することができる。例えば、板部２０が湿った状態で保管すると、そこに雑菌が繁殖し易いので好ましくない。
【００２０】
また、多くの貫通孔２１が板部２０に設けられていることで、板部２０の表面に疑似的な凹凸が形成されてその表面の摩擦係数が高くなっているので、板部２０の外面に沿わせて配置された清掃用シート１が板部２０からずれ難くなっている。
つまり、板部２０に取り付けた清掃用シート１を床面などに擦り付けるように拭き掃除を行っても、清掃用シート１が板部２０からずれずに床面などに密接するので、好適に汚れやほこりを拭き取ることができる。
【００２１】
｛挟持部｝
挟持部３０は、板部２０を挟むことができる位置に設けられている所謂クリップと称される部材であり、把手部１０又は板部２０に配設されている。
ここでは、トーションバネやピンチリングの付勢力を利用したクリップを挟持部３０として用いており、その挟持部３０は把手部１０側に配設されているものとする。
そして、この挟持部３０は、板部２０の先端側で折り返されてその板部２０の外面に沿わせて縦巻きに配置された清掃用シート１を、板部２０の後端側に挟み込んで保持することができる。つまり、挟持部３０が板部２０との間に清掃用シート１の両端部を挟み込むことで、板部２０に清掃用シート１を取り付けることができる。
また、板部２０に取り付けて掃除に用いた使用済みの清掃用シート１を取り外す場合、クリップ状の挟持部３０を摘まむ操作を行うことで、板部２０との間に挟み込まれている清掃用シート１を開放することができる。例えば、トイレ掃除した後、便器の水溜りの上方でクリップ状の挟持部３０を摘まんで清掃用シート１を開放するようにすれば、使用済みの清掃用シート１に触れることなく便器の水溜りに廃棄することができる。
このクリップ状の挟持部３０のトーションバネやピンチリングは金属製の部材であり、それ以外の部分は把手部１０や板部２０と同様の材料によって形成されている。
【００２２】
［本実施形態の効果］
以上のように、本実施形態の清掃用具１００であれば、板部２０に縦巻きにして取り付けた清掃用シート１をクリップ状の挟持部３０によって保持することができ、また、クリップ状の挟持部３０を摘まむことで清掃用シート１を開放するようにして取り外すことができる。つまり、板部２０に取り付けた清掃用シート１でトイレの床面などを拭き掃除することができ、使用済の清掃用シート１を開放するようにして廃棄することができる。
特に、この清掃用具１００は、比較的短時間で乾燥した状態になる板部２０を有しているので、使用済みの清掃用シート１を取り外した清掃用具１００を衛生的に保管することができる。
このように、本実施形態の清掃用具１００であれば、任意の清掃用シート１を容易に着脱でき、より衛生的に保管することができる。
【００２３】
また、板部２０に取り付けられている清掃用シート１で床面などを拭く清掃を行う際、板部２０が適度に撓むので、清掃用シート１を床面などに密接させた拭き掃除を好適に行うことができる。
また、板部２０に取り付けられた清掃用シート１は、その板面からずれ難くなっているので、清掃用シート１を床面などに擦り付けるように拭き掃除を行っても、清掃用シート１が板部２０からずれずに床面などに密接するので、好適に汚れやほこりを拭き取ることができる。
また、薄い板部２０に清掃用シート１を縦巻きに取り付けているので、狭い隙間の掃除にも用いることができる。
【００２４】
［変形例１］（幅広の挟持部）
上記実施形態では、板部２０の端部の幅方向略中央に、板部２０の幅の五分の一程度の小さなクリップ状の挟持部３０が１つ設けられている清掃用具１００について説明したが、例えば、図３に示すように、板部２０の幅とほぼ同じ寸法を有する幅広のクリップ状の挟持部３０が１つ設けられている清掃用具１００であってもよい。
この幅広のクリップ状の挟持部３０も、トーションバネやピンチリングの付勢力を利用したものであり、その挟持部３０は把手部１０側に配設されているものとする。
このような幅広の挟持部３０を備えた清掃用具１００であれば、板部２０との間に清掃用シート１を幅広く挟み込んで保持することができるので、その両端部が捲れてしまわないように板部２０に取り付けられた清掃用シート１によって、より好適に拭き掃除を行うことができる。
【００２５】
［変形例２］（複数の挟持部）
上記実施形態では、クリップ状の挟持部３０が１つ設けられている清掃用具１００について説明したが、挟持部３０の数は任意であり、例えば、図４に示すように、２つの挟持部３０が設けられている清掃用具１００であってもよい。
ここでは、板部２０の両面に跨るように配されている主挟持部３１と、主挟持部３１にスライド移動可能に取り付けられている副挟持部３２とで構成されているクリップを挟持部３０として用いている。
この挟持部３０は、主挟持部３１と重なる位置に副挟持部３２をスライド移動させることで、主挟持部３１の両端が閉じて板部２０を挟むように構成されているクリップであり、主挟持部３１と板部２０との間に清掃用シート１を挟み込んで保持するようになっている。なお、主挟持部３１は連結部材３３を介して把手部１０に配設されている。
このように板部２０の幅方向の両側に挟持部３０が設けられている清掃用具１００であれば、板部２０から清掃用シート１の隅が捲れてしまわないように保持することができるので、板部２０に取り付けられた清掃用シート１によって、より好適に拭き掃除を行うことができる。
【００２６】
［変形例３］（板バネ状の挟持部）
上記実施形態では、板部２０を挟む構造の挟持部３０が設けられている清掃用具１００について説明したが、例えば、図５に示すように、板部２０の表面と裏面にそれぞれ２つ計４つの挟持部３０が設けられている清掃用具１００であってもよい。
ここでは、板部２０の板面に回動可能に軸支されている板バネ状のクリップを挟持部３０として用いている。各挟持部３０は、板部２０の後端側、幅方向両側の隅部に設けられている。
この挟持部３０は、板部２０との間に挟み込んだ清掃用シート１を板部２０の板面に向けて押さえ付けて保持するようになっている。
このように板部２０の幅方向両側に挟持部３０が設けられている清掃用具１００であれば、板部２０から清掃用シート１の隅が捲れてしまわないように保持することができるので、板部２０に取り付けられた清掃用シート１によって、より好適に拭き掃除を行うことができる。
【００２７】
［変形例４］（湾曲した板部）
上記実施形態では、平面状の板材からなる板部２０を備えた清掃用具１００について説明したが、例えば、図６に示すように、一方の面側が凸状に湾曲してなる板材からなる板部２０を備えた清掃用具１００であってもよい。
この清掃用具１００の板部２０に清掃用シート１を取り付ければ、凸状に湾曲している板部２０の裏面に清掃用シート１がフィットし易いので、板部２０の裏面側の清掃用シート１による拭き掃除を好適に行うことができる。
特に、凸状に湾曲している板部２０の裏面側で床面を擦る場合、板部２０が床面に線接触するように部分的に触れる部分に押圧力を集中させ易いので、板部２０の裏面側の清掃用シート１による拭き掃除を好適に行うことができる。
この凸状に湾曲している板部２０の曲率は、１／１００〜１／２００であることが好ましい。
【００２８】
［変形例５］（立片を有する板部）
上記実施形態では、平面状あるいは曲面状の板材からなる板部２０を備えた清掃用具１００について説明したが、例えば、図７に示すように、その一部が折り起された態様の立片２０ａが設けられている板材からなる板部２０を備えた清掃用具１００であってもよい。
具体的には、この清掃用具１００の板部２０には、その先端側の両方の隅部が板部２０の表面側に折り起された態様の略直角三角形状の立片２０ａが設けられている。
この立片２０ａは、板部２０の大きさが縦１４ｃｍ×横１０ｃｍである場合、底辺が１．５ｃｍ〜３ｃｍ、高さが３ｃｍ〜１４ｃｍの略直角三角形状であることが好ましい。なお、略直角三角形状の底辺は、板部２０の先端辺の一部であるものとする。
この清掃用具１００の板部２０に清掃用シート１を取り付ければ、板部２０の裏面に清掃用シート１がフィットし易いので、板部２０の裏面側の清掃用シート１による拭き掃除を好適に行うことができる。
特に、板部２０の裏面側で床面を擦る場合、立片２０ａの基部（三角形の底辺部分）に相当する折山部分に押圧力を集中させ易いので、板部２０の裏面側の清掃用シート１による拭き掃除を好適に行うことができる。なお、立片２０ａの基部に相当する折山部分に貫通孔２１が形成されているかいないかは問わないが、折山部分に貫通孔２１が形成されていればその部分の摩擦係数が高くなっているので、清掃用シート１が板部２０からずれ難くなる。また、折山部分に貫通孔２１が形成されていなければその部分の強度を高めることができる。
また、立片２０ａが設けられている板部２０の先端側は略角形スコップ形状を呈しているので、その先端側で折り返されている清掃用シート１で、床面にこびり付いた汚れを掻き取るようにする拭き掃除を好適に行うことができる。
【００２９】
［変形例６］（モップ状の清掃用具）
また、図８に示すように、モップ状の清掃用具１００であってもよい。
この清掃用具１００の板部２０の上面には、その全幅に亘って立設されている被挟持片２０ｂが設けられている。
モップ状の清掃用具１００の板部２０は、縦１０〜１５ｃｍ×横８ｃｍ〜１１ｃｍ程度の大きさであり、被挟持片２０ｂは板部２０の短手方向（横方向）に沿って設けられている。
この被挟持片２０ｂは、板部２０の上面に１ｃｍ〜１．５ｃｍ程度の高さを有して形成されている。
把手部１０は、被挟持片２０ｂの略中央に固定されており、挟持部３０は、被挟持片２０ｂを挟むことができる位置に設けられている。
そして、この清掃用具１００に清掃用シート１を取り付ける場合、板部２０の下面に沿わせた清掃用シート１を手前側の一端と奥側の一端で折り返し、板部２０の上面側に配置された清掃用シート１の両端部を、挟持部３０が被挟持片２０ｂとの間に挟み込むようにする。
こうして清掃用具１００の板部２０に清掃用シート１を取り付ければ、板部２０の下面側の清掃用シート１による拭き掃除を好適に行うことができる。
【００３０】
なお、本発明の適用は上述した実施形態に限定されることなく、本発明の趣旨を逸脱しない範囲で適宜変更可能である。
【符号の説明】
【００３１】
１      清掃用シート
１０    把手部
２０    板部
２０ａ  立片
２０ｂ  被挟持片
２１    貫通孔
３０    挟持部
３１    主挟持部
３２    副挟持部
３３    連結部材
１００  清掃用具
【図１】
2020103663.tif 000003
【図２】
2020103663.tif 000004
【図３】
2020103663.tif 000005
【図４】
2020103663.tif 000006
【図５】
2020103663.tif 000007
【図６】
2020103663.tif 000008
【図７】
2020103663.tif 000009
【図８】
2020103663.tif 000010